【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
像担持体表面を帯電させる帯電工程と、
該帯電工程後の像担持体表面に静電潜像を書き込む露光工程と、
前記静電潜像を、トナーを含む現像剤を用いて可視化して可視像を形成する現像工程と、
前記可視像を、直接又は被転写体を介して記録媒体上に転写して未定着画像を形成する転写工程と、
該転写工程後の像担持体表面に残存する転写残留トナーをクリーニングするクリーニング工程と、
前記未定着画像を記録媒体に定着させる定着工程と、を有し、
前記トナーは、トナー母体と、外添剤と、が配合され、
前記トナー母体は、結晶性ポリエステル樹脂と、非晶質樹脂と、ワックスと、を含有し、
前記トナーのＦＴ−ＩＲ（フーリエ変換赤外分光分析測定装置）を使用しＡＴＲ法（全反射法）で測定した結晶性ポリエステル樹脂の特徴的なスペクトルのピーク高さをＣ、ワックスの特徴的なスペクトルのピーク高さをＷ、非晶質樹脂の特徴的なスペクトルのピーク高さをＲ、前記外添剤の前記トナー母体１００重量部に対する配合量をＸ重量部としたとき、結晶性ポリエステル樹脂ピーク比Ｃ／Ｒ、ワックスピーク比Ｗ／Ｒは、下記式（１）の関係を満たすことを特徴とする画像形成方法。
０．３６≦（２．７７×Ｃ／Ｒ＋１．９７×Ｗ／Ｒ）／Ｘ≦１．８５      …式（１）
【請求項２】
下記式（２）の関係を満たすことを特徴とする請求項１に記載の画像形成方法。
０．３６≦（２．７７×Ｃ／Ｒ＋１．９７×Ｗ／Ｒ）／Ｘ≦０．７５      …式（２）
【請求項３】
前記Ｃ／Ｒが、０．０３乃至０．１５であることを特徴とする請求項１または２に記載の画像形成方法。
【請求項４】
前記結晶性ポリエステル樹脂の特徴的なスペクトルは、１１６５ｃｍ−１であり、
前記Ｃのベースラインは、１１３７−１１９９ｃｍ−１であり、
前記非晶質樹脂の特徴的なスペクトルは、６９９ｃｍ−１又は８２９ｃｍ−１であり、
前記Ｒのベースラインは、
前記非晶質樹脂の特徴的なスペクトルが６９９ｃｍ−１である場合は６７０−７１４ｃｍ−１であり、
前記非晶質樹脂の特徴的なスペクトルが８２９ｃｍ−１である場合は７８４−８８９ｃｍ−１であり、
前記ワックスの特徴的なスペクトルは、２８５０ｃｍ−１であり、
前記Ｗのベースラインは、２８３４−２８６２ｃｍ−１であることを特徴とする請求項１乃至３のいずれか１項に記載の画像形成方法。
【請求項５】
静電潜像を担持する像担持体と、
該像担持体表面を帯電させる帯電装置と、
前記像担持体表面に静電潜像を書き込む露光装置と、
前記静電潜像を、トナーを含む現像剤を用いて可視化して可視像を形成する現像装置と、
前記可視像を、直接又は被転写体を介して記録媒体上に転写して未定着画像を形成する転写装置と、
像担持体表面に残った転写残留トナーをクリーニングするクリーニング装置と、
前記未定着画像を記録媒体に定着させる定着装置と、を備え、
前記トナーは、トナー母体と、外添剤と、が配合され、
前記トナー母体は、結晶性ポリエステル樹脂と、非晶質樹脂と、ワックスと、を含有し、
前記トナーのＦＴ−ＩＲ（フーリエ変換赤外分光分析測定装置）を使用しＡＴＲ法（全反射法）で測定した結晶性ポリエステル樹脂の特徴的なスペクトルのピーク高さをＣ、ワックスの特徴的なスペクトルのピーク高さをＷ、非晶質樹脂の特徴的なスペクトルのピーク高さをＲ、前記外添剤の前記トナー母体１００重量部に対する配合量をＸ重量部としたとき、結晶性ポリエステル樹脂ピーク比Ｃ／Ｒ、ワックスピーク比Ｗ／Ｒは、下記式（１）の関係を満たすことを特徴とする画像形成装置。
０．３６≦（２．７７×Ｃ／Ｒ＋１．９７×Ｗ／Ｒ）／Ｘ≦１．８５      …式（１）
【請求項６】
下記式（２）の関係を満たすことを特徴とする請求項５に記載の画像形成装置。
０．３６≦（２．７７×Ｃ／Ｒ＋１．９７×Ｗ／Ｒ）／Ｘ≦０．７５      …式（２）
【請求項７】
前記Ｃ／Ｒが、０．０３乃至０．１５であることを特徴とする請求項５または６に記載の画像形成装置。
【請求項８】
前記結晶性ポリエステル樹脂の特徴的なスペクトルは、１１６５ｃｍ−１であり、
前記Ｃのベースラインは、１１３７−１１９９ｃｍ−１であり、
前記非晶質樹脂の特徴的なスペクトルは、６９９ｃｍ−１又は８２９ｃｍ−１であり、
前記Ｒのベースラインは、
前記非晶質樹脂の特徴的なスペクトルが６９９ｃｍ−１である場合は６７０−７１４ｃｍ−１であり、
前記非晶質樹脂の特徴的なスペクトルが８２９ｃｍ−１である場合は７８４−８８９ｃｍ−１であり、
前記ワックスの特徴的なスペクトルは、２８５０ｃｍ−１であり、
前記Ｗのベースラインは、２８３４−２８６２ｃｍ−１であることを特徴とする請求項５乃至７のいずれか１項に記載の画像形成装置。
【請求項９】
請求項５乃至８のいずれか１項に記載の画像形成装置に用いられることを特徴とするトナー。
【請求項１０】
請求項５乃至８のいずれか１項に記載の画像形成装置に用いられ、
前記トナーとキャリアとを含有することを特徴とする現像剤。
【請求項１１】
請求項９に記載のトナー又は請求項１０に記載の現像剤が充填されたことを特徴とする容器。
【請求項１２】
請求項１０に記載の現像剤を保持する現像装置と、
像担持体、帯電装置、クリーニング装置より選ばれる１以上と、を一体に支持し、
画像形成装置本体に着脱自在であることを特徴とするプロセスカートリッジ。
【手続補正２】
【補正対象書類名】明細書
【補正対象項目名】００１７
【補正方法】変更
【補正の内容】
【００１７】
（Ｉ）：像担持体表面を帯電させる帯電工程と、該帯電工程後の像担持体表面に静電潜像を書き込む露光工程と、前記静電潜像を、トナーを含む現像剤を用いて可視化して可視像を形成する現像工程と、前記可視像を、直接又は被転写体を介して記録媒体上に転写して未定着画像を形成する転写工程と、該転写工程後の像担持体表面に残存する転写残留トナーをクリーニングするクリーニング工程と、前記未定着画像を記録媒体に定着させる定着工程と、を有し、前記トナーは、トナー母体と、外添剤と、が配合され、前記トナー母体は、結晶性ポリエステル樹脂と、非晶質樹脂と、ワックスと、を含有し、前記トナーのＦＴ−ＩＲ（フーリエ変換赤外分光分析測定装置）を使用しＡＴＲ法（全反射法）で測定した結晶性ポリエステル樹脂の特徴的なスペクトルのピーク高さをＣ、ワックスの特徴的なスペクトルのピーク高さをＷ、非晶質樹脂の特徴的なスペクトルのピーク高さをＲ、前記外添剤の前記トナー母体１００重量部に対する配合量をＸ重量部としたとき、結晶性ポリエステル樹脂ピーク比Ｃ／Ｒ、ワックスピーク比Ｗ／Ｒは、下記式（１）の関係を満たすことを特徴とする画像形成方法。
【手続補正３】
【補正対象書類名】明細書
【補正対象項目名】００２３
【補正方法】変更
【補正の内容】
【００２３】
（Ｖ）：静電潜像を担持する像担持体と、該像担持体表面を帯電させる帯電装置と、前記像担持体表面に静電潜像を書き込む露光装置と、前記静電潜像を、トナーを含む現像剤を用いて可視化して可視像を形成する現像装置と、前記可視像を、直接又は被転写体を介して記録媒体上に転写して未定着画像を形成する転写装置と、像担持体表面に残った転写残留トナーをクリーニングするクリーニング装置と、前記未定着画像を記録媒体に定着させる定着装置と、を備え、前記トナーは、トナー母体と、外添剤と、が配合され、前記トナー母体は、結晶性ポリエステル樹脂と、非晶質樹脂と、ワックスと、を含有し、前記トナーのＦＴ−ＩＲ（フーリエ変換赤外分光分析測定装置）を使用しＡＴＲ法（全反射法）で測定した結晶性ポリエステル樹脂の特徴的なスペクトルのピーク高さをＣ、ワックスの特徴的なスペクトルのピーク高さをＷ、非晶質樹脂の特徴的なスペクトルのピーク高さをＲ、前記外添剤の前記トナー母体１００重量部に対する配合量をＸ重量部としたとき、結晶性ポリエステル樹脂ピーク比Ｃ／Ｒ、ワックスピーク比Ｗ／Ｒは、下記式（１）の関係を満たすことを特徴とする画像形成装置。
【手続補正４】
【補正対象書類名】明細書
【補正対象項目名】００３４
【補正方法】変更
【補正の内容】
【００３４】
以下、本発明について図面を参照しながら詳細に説明する。
《画像形成装置、画像形成方法》
図１は、本発明に係る画像形成装置の一実施の形態における一部の構成を示す概略図である。
本発明に係る画像形成装置は、静電潜像を担持する像担持体１と、該像担持体表面を帯電させる帯電装置２と、前記像担持体１表面に静電潜像を書き込む露光装置８と、前記静電潜像を、トナー９を含む現像剤１３を用いて可視化して可視像を形成する現像装置３と、前記可視像を、直接又は被転写体を介して記録媒体４上に転写して未定着画像を形成する転写装置５と、像担持体１表面に残った転写残留トナーをクリーニングするクリーニング装置７と、前記未定着画像を記録媒体に定着させる定着装置６と、を備え、前記トナー９は、トナー母体と、外添剤と、が配合され、前記トナー母体は、結晶性ポリエステル樹脂と、非晶質樹脂と、ワックスと、を含有し、前記トナー９のＦＴ−ＩＲ（フーリエ変換赤外分光分析測定装置）を使用しＡＴＲ法（全反射法）で測定した結晶性ポリエステル樹脂の特徴的なスペクトルのピーク高さをＣ、ワックスの特徴的なスペクトルのピーク高さをＷ、非晶質樹脂の特徴的なスペクトルのピーク高さをＲ、前記外添剤の前記トナー母体１００重量部に対する配合量をＸ重量部としたとき、結晶性ポリエステル樹脂ピーク比Ｃ／Ｒ、ワックスピーク比Ｗ／Ｒは、下記式（１）の関係を満たすことを特徴とする。